(57)【要約】【課題】異なる書込解像度間において形成される画像の主観の差異を少なくし、かつ、形成される画像の品質を保つ画像処理装置、画像形成装置、及び、画像処理方法を提供すること。【解決手段】異なる書込解像度毎に、階調毎に対応する濃度を決定して、中間調処理を行う画像処理装置であって、基準書込解像度により複数の階調のパターンが形成された階調チャートを読み取って得られる階調毎の基準濃度値と、前記基準書込解像度とは異なる一の書込解像度により複数の階調のパターンが形成された階調チャートを読み取って得られる階調毎の参照濃度値と、を取得する濃度値取得手段と、前記複数の階調のうち、階調値が所定値以下の階調において、前記参照濃度値と前記基準濃度値との差が所定の閾値以下になる濃度補正を前記一の書込解像度に対して行う補正手段と、を有する画像処理装置。【選択図】図１
2011119904.tif 000002
【特許請求の範囲】
【請求項１】
異なる書込解像度毎に、階調毎に対応する濃度を決定して、中間調処理を行う画像処理装置であって、
基準書込解像度により複数の階調のパターンが形成された階調チャートを読み取って得られる階調毎の基準濃度値と、前記基準書込解像度とは異なる一の書込解像度により複数の階調のパターンが形成された階調チャートを読み取って得られる階調毎の参照濃度値と、を取得する濃度値取得手段と、
前記複数の階調のうち、階調値が所定値以下の階調において、前記参照濃度値と前記基準濃度値との差が所定の閾値以下になる濃度補正を前記一の書込解像度に対して行う補正手段と、
を有することを特徴とする画像処理装置。
【請求項２】
前記基準書込解像度は、前記一の書込解像度よりも、低解像度であることを特徴とする請求項１記載の画像処理装置。
【請求項３】
前記基準濃度値の最大値は、前記参照濃度値の最大値よりも小さいことを特徴とする請求項２記載の画像処理装置。
【請求項４】
前記補正手段は、補正後の前記一の書込解像度における濃度値の最大値を、前記参照濃度値の最大値とすることを特徴とする請求項２又は３記載の画像処理装置。
【請求項５】
前記補正手段が濃度補正を行う階調の最大値は、前記中間調処理される画像が写真画像の場合の最大値が、前記中間調処理される画像が文字画像の場合の最大値よりも、大きいか、又は、同一であることを特徴とする請求項１ないし４何れか一項記載の画像処理装置。
【請求項６】
前記補正手段が濃度補正を行う際の前記所定の閾値は、前記中間調処理される画像が写真画像の場合の所定の閾値が、前記中間調処理される画像が文字画像の場合の所定の閾値よりも、小さいか、又は、同一であることを特徴とする請求項１ないし４何れか一項記載の画像処理装置。
【請求項７】
異なる書込解像度毎に、階調毎に対応する濃度を決定して、中間調処理を行った画像を形成する画像形成装置であって、
基準書込解像度により複数の階調のパターンが形成された階調チャートを読み取って得られる階調毎の基準濃度値と、前記基準書込解像度とは異なる一の書込解像度により複数の階調のパターンが形成された階調チャートを読み取って得られる階調毎の参照濃度値と、を取得する濃度値取得手段と、
前記複数の階調のうち、階調値が所定値以下の階調において、前記参照濃度値と前記基準濃度値との差が所定の閾値以下になる濃度補正を前記一の書込解像度に対して行う補正手段と、
濃度補正された前記一の書込解像度による画像を形成する画像形成手段と、
を有することを特徴とする画像形成装置。
【請求項８】
異なる書込解像度毎に、階調毎に対応する濃度を決定して、中間調処理を行う画像処理方法であって、
基準書込解像度により複数の階調のパターンが形成された階調チャートを読み取って得られる階調毎の基準濃度値と、前記基準書込解像度とは異なる一の書込解像度により複数の階調のパターンが形成された階調チャートを読み取って得られる階調毎の参照濃度値と、を取得する濃度値取得ステップと、
前記複数の階調のうち、階調値が所定値以下の階調において、前記参照濃度値と前記基準濃度値との差が所定の閾値以下になる濃度補正を前記一の書込解像度に対して行う補正ステップと、
を有することを特徴とする画像処理方法。
【発明の詳細な説明】
【技術分野】
【０００１】
本発明は、画像処理装置、画像形成装置、及び、画像処理方法に関する。
【背景技術】
【０００２】
従来から、複数の書込解像度に対応する画像形成装置において、中間調処理を行う際の階調補正テーブルを生成する際に、画像を形成する際の書込解像度毎の差異を少なくする階調補正を行う画像形成装置がある。例えば、特開２００９−１２２７０９号公報（特許文献１）には、書込解像度毎に、リアルタイム階調補正の間隔を異ならせる発明が開示されている。
【０００３】
また、特開２００６−５４７８６号公報（特許文献２）には、Ｄｍａｘ値の低下を補正するために、本来のＤｍａｘ値と測定されるＤｍａｘ値とのゲインを求め、カラーバランスに設定する画像処理装置が開示されている。特許文献２に記載の発明によれば、階調を滑らかにし、かつ、濃度の低下を軽減することができる。
【発明の概要】
【発明が解決しようとする課題】
【０００４】
しかしながら、上記特許文献１及び２に開示の発明では、書込解像度毎に最高濃度が異なる場合に、最高濃度の差異による主観の差については考慮されていない。例えば、書込解像度が高い場合に、低解像度と同等の最高濃度とすると、レーザのパワーや照射時間を少なくする必要があり、トナーの付着が悪くなる。そこで、レーザのパワーや照射時間を多くして最高濃度を低解像度より高くすると、階調補正テーブルが低解像度とは大きく異なるため、形成される画像に主観の差異が生じる。
【０００５】
本発明は、上記の点に鑑みて、これらの問題を解消するために発明されたものであり、異なる書込解像度間において形成される画像の主観の差異を少なくし、かつ、形成される画像の品質を保つ画像処理装置、画像形成装置、及び、画像処理方法を提供することを目的としている。
【課題を解決するための手段】
【０００６】
上記目的を達成するために、本発明の画像処理装置は次の如き構成を採用した。本発明の画像処理装置は、異なる書込解像度毎に、階調毎に対応する濃度を決定して、中間調処理を行う画像処理装置であって、基準書込解像度により複数の階調のパターンが形成された階調チャートを読み取って得られる階調毎の基準濃度値と、前記基準書込解像度とは異なる一の書込解像度により複数の階調のパターンが形成された階調チャートを読み取って得られる階調毎の参照濃度値と、を取得する濃度値取得手段と、前記複数の階調のうち、階調値が所定値以下の階調において、前記参照濃度値と前記基準濃度値との差が所定の閾値以下になる濃度補正を前記一の書込解像度に対して行う補正手段と、を有する構成とすることができる。
【０００７】
これにより、異なる書込解像度間において形成される画像の主観の差異を少なくし、かつ、形成される画像の品質を保つ画像処理装置を提供することができる。
【０００８】
なお、上記課題を解決するため、本発明は、上記画像処理装置を有する画像形成装置、及び、上記画像処理装置における画像処理方法としてもよい。
【発明の効果】
【０００９】
本発明の画像処理装置、画像形成装置、及び、画像処理方法によれば、異なる書込解像度間において形成される画像の主観の差異を少なくし、かつ、形成される画像の品質を保つ画像処理装置、画像形成装置、及び、画像処理方法を提供することが可能になる。
【図面の簡単な説明】
【００１０】
【図１】図１は、本実施形態に係る画像形成装置１の機能構成の例を示す図である。
【図２】図２は、形成されるドット形状の例を示す図である。
【図３】図３は、異なる解像度における印字パターンの例を示す図である。
【図４】図４は、階調補正テーブルと階調毎の濃度値とを示す図である。
【図５】図５は、濃度補正用階調チャート９の例を示す図である。
【図６】図６は、濃度補正の際に生成されるチャートの読取値の結果を示すグラフである。
【図７】図７は、補正対象となる書込解像度の補正とを図示するグラフである。
【図８】図８は、読取値とパッチの濃度値とに基づいて生成される階調補正テーブルと階調毎の濃度値とを示す図（その１）である。
【図９】図９は、読取値とパッチの濃度値とに基づいて生成される階調補正テーブルと階調毎の濃度値とを示す図（その２）である。
【図１０】図１０は、本実施形態に係る画像処理方法の全体を説明するフロー図である。
【図１１】図１１は、基準書込解像度の濃度補正用階調チャートを生成して出力する処理を示すフロー図である。
【図１２】図１２は、補正対象となる書込解像度の階調補正テーブルを生成する処理を示すフロー図である。
【発明を実施するための形態】
【００１１】
以下、本実施の形態を図面に基づき説明する。
【００１２】
〔本実施の形態〕
図１は、本実施形態に係る画像形成装置１の機能構成の例を示す図である。画像形成装置１は、接続されたクライアントＰＣ８からの画像データによる画像を、媒体上に形成して出力する。
【００１３】
画像形成装置１は、画像処理部１００、画像形成部２００、及び、画像読取部３００を有する。画像処理部１００は、画像読取部３００が読み取った画像データ又はクライアントＰＣ８から入力される画像データ８９０に対する画像処理を行う。画像処理部１００は、また、画像読取部３００が読み取った濃度補正用階調チャート９に基づく、濃度補正を行う。
【００１４】
画像処理部１００は、色変換処理部１１０、濃度変換処理部１２０、階調処理部１３０、及び、濃度補正処理部１４０を有する。色変換処理部１１０は、入力される画像データ８９０の色空間を変換する。クライアントＰＣ８から入力される画像データ８９０は、例えば、ＲＧＢ色空間により表現される。色変換処理部１１０は、画像データ８９０の色空間を、ＹＭＣ色空間又はＹＭＣＫ色空間に変換する。
【００１５】
濃度変換処理部１２０は、色空間を変換された画像データに対し、濃度変換を行う。この処理は、濃度変換処理部１２０に入力される画像データを階調補正テーブルの入力値とし、対応する出力値を得るものである。
【００１６】
階調処理部１３０は、濃度変換処理された画像データを、少ない色数で表される階調表現による画像データに変換する。階調処理部１３０は、ディザ法や誤差拡散法等の中間調処理を行い、階調表現による画像データを生成する。
【００１７】
濃度補正処理部１４０は、画像読取部３００が濃度補正用階調チャート９を読み取ったデータから、濃度変換を行う階調補正テーブルの補正を行う。濃度補正処理部１４０は、濃度補正用階調チャート９の画像データを生成する。生成された画像データは、階調処理部１３０によって中間調処理され、画像形成部２００により媒体上に形成されて出力される。なお、濃度補正用階調チャート９は、図示しない中間転写ベルト上に形成されてもよい。
【００１８】
濃度補正処理部１４０は、パッチデータ形成部１４１、パッチデータ処理部１４２、補正データ生成部１４３、及び、補正データ判定部１４４を有する。パッチデータ形成部１４１は、濃度補正用階調チャート９の階調毎のパッチデータを生成する。パッチデータ処理部１４２は、画像読取部３００が読み取った濃度補正用階調チャート９の読み取り結果に基づいて、階調毎の濃度値を取得する。
【００１９】
補正データ生成部１４３は、パッチデータ処理部１４２が取得した階調毎の濃度値に基づいて、階調補正テーブルの補正を行う。階調補正テーブルは、異なる解像度のそれぞれに対応して設けられる。補正データ判定部１４４は、補正された階調補正テーブルについて、基準となる基準書込解像度の階調補正テーブルに対する判定を行い、必要に応じて再度補正を行う。
【００２０】
画像読取部３００は、濃度補正用階調チャート９、又は、媒体に形成された画像を読み取り、画像データを出力する。濃度補正用階調チャート９を読み取って得られる画像データは、濃度補正処理部１４０に出力され、処理される。なお、濃度補正用階調チャート９が、中間転写ベルト上に形成される場合には、これを読み取る画像読取部３００は、中間転写ベルトの搬送路上に設けられるセンサとして構成されてもよい。
【００２１】
画像形成部２００は、画像処理部１００が処理した画像データを、媒体上に形成して出力する。
【００２２】
図２は、画像形成部２００により形成されるドット形状の例を示す図である。図２は、レーザ書込によるドットの例を示す。図２の上段は６００ｄｐｉ、下段は１２００ｄｐｉの書込解像度によるドットである。また、図２の左列は、３サイズのドットの大きさのうち、中間のサイズである中間ドットを使用した場合の例、図２の右列は、最大のドットサイズであるフルドットを使用した場合の例を示す。
【００２３】
１２００ｄｐｉの印字時は、主走査方向及び副走査方向のそれぞれにおいて、６００ｄｐｉの１／２の間隔で印字を行うことにより、６００ｄｐｉより密に書き込む。１２００ｄｐｉと６００ｄｐｉとで、濃度の測定値が同一になるようにレーザのパワーや照射時間を調整すると、密に書き込む１２００ｄｐｉのレーザのパワーを低下させることとなり、紙転写時にトナーの付着が芳しくなくなることがある。そこで、レーザのパワーを低下させない場合には、１２００ｄｐｉの濃度値が高くなる。
【００２４】
図３は、異なる解像度において、それぞれ同様の印字パターンを印字した例を示す図である。図３の上段は、低解像度における印字、図３の下段は、高解像度における印字を示す。また、図３の左列は、最も低濃度を示す印字パターン、中央列は、中濃度の一を示す印字パターン、右列は、最も高濃度を示す印字パターンである。
【００２５】
図３より、低解像度における印字は、高解像度における印字よりも、１つのドットの大きさが大きいため、詳細な表現ができない場合がある。しかしながら、書込時のレーザのパワーや照射時間の制御は行い易いため、画像形成装置の個体間の差が少ない。そこで、低解像度を基準書込解像度とするとよい。
【００２６】
ところで、基準書込解像度として、使用されることが多い解像度を用いると、形成される画像の品質が向上し、かつ、処理コストを低減することができる。一般には、低い解像度の方が処理速度が速いため、操作者は、画像形成装置１が印字する解像度のうち、最も低い解像度による画像の出力を選択することが多い。そこで、画像形成装置の一般的な使用状況からも、基準書込解像度を、最も低い解像度とするとよい。
【００２７】
図４は、階調補正テーブルと階調毎の濃度値とを示す図である。図４（ａ）は、階調補正テーブルである。階調毎の入力値に対し、補正された出力値が対応づけられる。
【００２８】
図４（ｂ）は、階調毎の濃度値を示す図であり、横軸が入力される階調毎の濃度値、縦軸が対応する濃度値を示す。図４（ｂ）において、Ａ１は、６００ｄｐｉ、Ｂ１、は１２００ｄｐｉの濃度値を示す。図４（ｂ）において、Ａ１及びＢ１の何れも、低濃度側は薄めの濃度値であり、中濃度から高濃度側は、低濃度側に比べて、濃度推移の傾きが急峻になる。
【００２９】
図４（ｂ）では、さらに、書込解像度による差異が、低濃度側から発生している。これにより、主観による色味の差異が発生する。
【００３０】
図５は、濃度補正用階調チャート９の例を示す図である。図５（ａ）及び（ｂ）は、それぞれ、印字する際の排紙方向が異なる。濃度補正用階調チャート９には、Ｃ、Ｍ、Ｙ、Ｋの色毎に、９ないし１５個のパッチが配置される。排紙方向の先端が低濃度のパッチ、後端が高濃度のパッチである。パッチ間の入力濃度値の差は均等にする。すなわち、９個のパッチの場合は、刻み幅を３２として、０、３２、６４、・・・２２４、２５５とする。また、１７個のパッチの場合は、刻み幅を１６として、０、１５、３２、・・・、２４０、２５５とする。
【００３１】
濃度補正用階調チャート９は、基準書込解像度と補正対象の書込解像度とのそれぞれについて、出力し、読み取って処理する。なお、基準書込解像度と補正対象の書込解像度とで、濃度補正用階調チャート９の排紙方向は同一にする。これは、電子写真の印字では、主走査及び副走査のそれぞれの方向における媒体上のトナーのばらつきが発生し易いことによる。すなわち、異なる解像度間で、同一の色及び同一の濃度のパッチを、チャート面の同一の場所に配置する必要があるからである。
【００３２】
濃度補正を行う際には、基準書込解像度の濃度補正用階調チャート９を生成した後、補正対象となる書込解像度の濃度補正用階調チャート９を生成する。なお、濃度補正用階調チャート９は、中間転写ベルト上に形成されてもよく、また、媒体上に形成され画像形成装置１の外に出力されてもよい。中間転写ベルト上に形成される場合には、中間転写ベルトの搬送路上に設けられたセンサによりパッチ毎の濃度値を取得する。媒体上に形成された場合には、スキャナ等によりパッチ毎の濃度値を取得する。
【００３３】
図６及び図７は、濃度補正の際に生成されるチャートの読取値の結果と、補正対象となる書込解像度の補正とを図示するグラフである。図６及び図７において、基準書込解像度が■、補正対象となる解像度が◆で表される。図６より、基準書込解像度より補正対象の書込解像度が、読取値が低い。
【００３４】
そこで、基準書込解像度に対して補正対象となる書込解像度の濃度差を少なくするためには、基準書込解像度の読取値となるパッチの濃度値を、補正対象となる書込解像度において設定すればよい。但し、紙白は０とし、最高濃度における値は、読み取り値とする。
【００３５】
図７は、基準書込解像度の読取値に対応するパッチの濃度値を取得することを示す図である。図７において、同一の読取値に対する、基準書込解像度の基準濃度値と補正対象の書込解像度の参照濃度値とのパッチの濃度差は、高濃度ほど大きくなる。これにより、参照濃度値の最高濃度は、基準濃度値の最高濃度より高いことが判る。
【００３６】
そこで、入力値の刻みを均等にした場合の出力の濃度値を、図７に示した読み取りにより得られる値から逆参照する。なお、読み取りのパッチ数は、多い方が補正の精度を高めることができるが、階調の反転や読み取りエラーの発生を軽減するため、色毎に、８〜１６個のパッチを読み取るとよい。
【００３７】
図８及び図９は、読取値とパッチの濃度値とに基づいて生成される階調補正テーブルと階調毎の濃度値とを示す図である。図８は、写真オブジェクトに対する濃度補正を説明する図である。
【００３８】
図８（ａ）は、補正された階調補正テーブルを示す図である。図８（ａ）において、Ｂ１１は、図４（ｂ）のＢ１に対応する階調補正テーブルであり、Ｂ１２は、補正された階調補正テーブルである。階調補正テーブルにおいて、入力値０に対する出力値は０、入力値２５５に対する出力値は２５５とする。逆参照により求めた補正対象の書込解像度の入力値は、基準書込解像度の入力値より小さい。そこで、補正後の階調補正テーブルＢ１２は、Ｂ１１に対して、下に凸の形状となる。
【００３９】
図８（ｂ）は、写真オブジェクト用の補正値を算出する例を示す図である。図８（ｂ）において、Ａ１が６００ｄｐｉの濃度値を示し、Ｂ１が補正前の１２００ｄｐｉの濃度値、Ｂ２が補正後の１２００ｄｐｉの濃度値を示す。写真オブジェクト用の濃度補正では、基準書込解像度となる６００ｄｐｉの基準濃度値に対する、補正対象となる書込解像度の１２００ｄｐｉの参照濃度値の差が、入力される最大濃度値に対して８０％未満の濃度値の範囲において、所定値以下とする。
【００４０】
本実施の形態において、入力値の範囲の中に４点の制御点を設け、これらの制御点において、グラフＡ１との差が所定値以下になるグラフＢ２を算出する。なお、Ｂ２の最大濃度は、補正前の濃度値Ｂ１の最大濃度と同一とする。グラフ中に示す４本の破線の矢印は、入力値の中の制御点に対応する。
【００４１】
より詳細には、次の（ア１）及び（ア２）の処理を行う。
【００４２】
（ア１）  入力値における紙白から最大濃度の８０％未満の範囲に含まれる制御点に対しては、次式（１）により、補正対象となる書込解像度の読取値の目標値Ｔ１を求める。
Ｔ１＝ＢＲ−（ＢＲ−ＳＲ）／５  ・・・（１）
但し、Ｔ１は、補正対象となる書込解像度の読取値の目標値、
ＢＲは、基準書込解像度の読取値、
ＳＲは、補正対象となる書込解像度の読取値、である。
（ア２）  入力値における最大濃度の８０％以上の範囲に含まれる制御点に対しては、次式（２）により、補正対象となる書込解像度の読取値の目標値Ｔ１を求める。
Ｔ１＝（ＳＲｍａｘ−ＳＲ８０）／（１００−ＳＲ８０）＋ＳＲ８０  ・・・（２）
但し、Ｔ２は、補正対象となる書込解像度の読取値の目標値、
ＳＲｍａｘは、補正対象の書込解像度の読取値の最大濃度、
ＳＲ８０は、補正対象の書込解像度の読取値のうち、最大濃度の８０％付近の読取値、である。
【００４３】
図９は、文字又は線オブジェクトに対する濃度補正を説明する図である。図９（ａ）において、Ｂ１３は、補正後の階調補正テーブルである。Ｂ１３は、図８（ａ）のＢ１２よりも、Ｂ１１との差が少ない。
【００４４】
画像を形成する際に、文字又は線オブジェクトは、細い線や文字の可読性、色がついているオブジェクトとして他のオブジェクトに対して区別できること、等が要求される。そこで、以下のＡ．又はＢ．の２つの補正方法の何れかを行う。
【００４５】
Ａ．  全体的に、写真オブジェクトよりも濃くする。
Ｂ．  低濃度側のみ、写真オブジェクトより濃くする。
【００４６】
Ａ．の場合は、読取値の範囲に、４つの制御点を設け、次の（イ１）及び（イ２）の処理を行う。
【００４７】
（イ１）  入力値における紙白から最大濃度の８０％未満の範囲に含まれる制御点に対しては、次式（３）により、補正対象となる書込解像度の読取値の目標値Ｔ２を求める。
Ｔ２＝ＢＲ−（ＢＲ−ＳＲ）／４  ・・・（３）
但し、Ｔ２は、補正対象となる書込解像度の読取値の目標値、
ＢＲは、基準書込解像度の読取値、
ＳＲは、補正対象となる書込解像度の読取値、である。
（イ２）  入力値における最大濃度の８０％以上の範囲に含まれる制御点に対しては、（ア２）と同様に、式（２）により、補正対象となる書込解像度の読取値の目標値Ｔ１を求め、これをＴ２とする。
【００４８】
Ｂ．の場合は、読取値の範囲のうち、低濃度側に２つの制御点を設け、次の（ウ１）及び（ウ２）の処理を行う。
【００４９】
（ウ１）  入力値における紙白から最大濃度の４０％未満の範囲に含まれる制御点に対しては、次式（４）により、補正対象となる書込解像度の読取値の目標値Ｔ３を求める。
Ｔ３＝Ｔ１−（Ｔ１−ＳＲ）／４  ・・・（４）
但し、Ｔ３は、補正対象となる書込解像度の読取値の目標値、
Ｔ１は、写真オブジェクトの読取値の目標値、
ＳＲは、補正対象となる書込解像度の読取値、である。
（ウ２）  入力値における最大濃度の４０％以上の範囲に含まれる制御点に対しては、写真オブジェクトの読取値の目標値Ｔ１を使用する。
【００５０】
図１０ないし図１２は、本実施形態に係る画像処理方法を説明するフロー図である。
図１０は、全体の処理を説明する図である。これらの処理は、濃度補正処理部１４０により実行される。図１０のステップＳ１０１では、基準書込解像度と補正対象の解像度とを決定する。ステップＳ１０１に続いてステップＳ１０２に進み、基準書込解像度の階調補正テーブルが生成済みか否かを判断する。生成済みの場合には、ステップＳ１０４に進み、生成済みではない場合には、ステップＳ１０３に進む。
【００５１】
ステップＳ１０２に続くステップＳ１０３では、基準書込解像度の階調補正テーブルを生成する。ステップＳ１０２又はステップＳ１０３に続くステップＳ１０４では、補正対象の解像度の、写真オブジェクト用の階調補正テーブルを生成する。
【００５２】
ステップＳ１０４に続いてステップＳ１０５に進み、文字用の階調補正テーブル生成に、写真オブジェクト用の階調補正テーブルを参照するか否かを判断する。参照する場合には、ステップＳ１０７に進み、参照しない場合には、ステップＳ１０６に進む。
【００５３】
ステップＳ１０５に続くステップＳ１０６では補正対象の解像度の文字用の階調補正テーブルを、上記Ａ．の方法により生成する。一方、ステップＳ１０５に続くステップＳ１０７では、補正対象の解像度の文字用の階調補正テーブルを、上記Ｂ．の方法により生成する。
【００５４】
図１１は、図１０のステップＳ１０３の処理の詳細を説明するフロー図である。図１１のステップＳ２０１では、パッチデータ形成部１４１が、基準書込解像度の濃度補正用階調チャートを生成して出力する。ステップＳ２０１に続いてステップＳ２０２に進み、パッチデータ処理部１４２が、濃度補正用階調チャートを読み取って得られる基準濃度値を取得する。
【００５５】
ステップＳ２０２に続いてステップＳ２０３に進み、補正データ生成部１４３が、階調補正テーブルを生成する。
【００５６】
図１２は、図１０のステップＳ１０６及びステップＳ１０７の処理の詳細を説明するフロー図である。図１２のステップＳ３０１では、パッチデータ形成部１４１が、補正対象の解像度の濃度補正用階調チャートを生成して、画像形成部２００から出力する。
【００５７】
ステップＳ３０１に続いてステップＳ３０２に進み、パッチデータ処理部１４２が、濃度補正用階調チャートを読み取って得られる値から、補正対象の書込解像度の濃度値である参照濃度値を取得する。
【００５８】
ステップＳ３０２に続いてステップＳ３０３に進み、補正データ生成部１４３が、参照濃度値を逆参照して得られる仮の階調補正テーブルを生成する。
【００５９】
ステップＳ３０３に続いてステップＳ３０４に進み、補正データ判定部１４４が、制御点を決定する。上記Ａ．の方法の場合は、４点の制御点、上記Ｂ．の方法の場合は、２点の制御点を決定する。
【００６０】
ステップＳ３０４に続いてステップＳ３０５に進み、補正データ判定部１４４が、制御点における基準書込解像度との値の差を算出し、階調補正テーブルを生成する。
【００６１】
（コンピュータ等による実現）
なお、本発明の実施の形態に係る画像形成装置は、例えばパーソナルコンピュータ（ＰＣ）等で実現されてもよい。また、本発明の実施形態に係る画像形成方法は、例えば、ＣＰＵがＲＯＭやハードディスク装置等に記憶されたプログラムに従い、ＲＡＭ等のメインメモリをワークエリアとして使用し、実行される。
【００６２】
以上、発明を実施するための最良の形態について説明を行ったが、本発明は、この最良の形態で述べた実施の形態に限定されるものではない。本発明の主旨をそこなわない範囲で変更することが可能である。
【産業上の利用可能性】
【００６３】
以上のように、本発明にかかる画像処理装置は、複数の解像度による中間調画像形成に有用であり、特に、電子写真に適している。
【符号の説明】
【００６４】
１     画像形成装置
９     濃度補正用階調チャート
１００ 画像処理部
１１０ 色変換処理部
１２０ 濃度変換処理部
１３０ 階調処理部
１４０ 濃度補正処理部
１４１ パッチデータ形成部
１４２ パッチデータ処理部
１４３ 補正データ生成部
１４４ 補正データ判定部
２００ 画像形成部
３００ 画像読取部
８９０ 画像データ
【先行技術文献】
【特許文献】
【００６５】
【特許文献１】特開２００９−１２２７０９号公報
【特許文献２】特開２００６−５４７８６号公報
【図１】
2011119904.tif 000003
【図２】
2011119904.tif 000004
【図３】
2011119904.tif 000005
【図４】
2011119904.tif 000006
【図５】
2011119904.tif 000007
【図６】
2011119904.tif 000008
【図７】
2011119904.tif 000009
【図８】
2011119904.tif 000010
【図９】
2011119904.tif 000011
【図１０】
2011119904.tif 000012
【図１１】
2011119904.tif 000013
【図１２】
2011119904.tif 000014